(57)【要約】【課題】  コアピンを使用することなくフェルールを形成可能であるとともに、ファイバの高い位置精度を有する多心光コネクタ、多心光コネクタの製造方法、および多心光コネクタ製造用の整列部材を提供する。【解決手段】  整列部材１７の孔１９側をフェルール５に対向させて、ガイドピン２１をガイド穴１１に挿入する。光ファイバ９が対応する孔１９に全て挿入されると、光ファイバ９は孔１９の位置に規制される。すなわち、孔１９と略同一の精度で整列させることができる。この状態で、接着剤１３を硬化させて光ファイバ９をフェルール５（長穴７内面）に固定する。【選択図】図６
2012185283.tif 000002
【特許請求の範囲】
【請求項１】
多心光コネクタの製造方法であって、
テープ心線が挿入可能な長穴を有するフェルールを用い、
前記フェルールの一方の端面から、前記長穴に前記テープ心線を挿入し、前記テープ心線の端部のテープおよび被覆が除去された被覆除去部を前記フェルールの他方の端面より突出させ、
前記被覆除去部を所定ピッチで整列可能な整列部材を用い、ガイド機構によって前記フェルールと前記整列部材との相対位置を合わせるとともに、前記被覆除去部の先端を前記整列部材に形成された整列部に挿入し、前記フェルールに前記整列部材を取り付け、
前記長穴と前記被覆除去部との隙間に塗布された接着剤によって、前記被覆除去部を前記長穴内に固定し、
前記整列部材を撤去後、前記フェルールの前記他方の端面を研磨することを特徴とする多心光コネクタの製造方法。
【請求項２】
前記整列部材と前記フェルールを対向させた際に、前記整列部材と前記フェルールの互いの対向面の間に隙間を形成した状態で、互いの相対位置を合わせ、前記被覆除去部を前記長穴内に固定することを特徴とする請求項１記載の多心光コネクタの製造方法。
【請求項３】
前記整列部材の前記整列部は、前記被覆除去部の外径に対応して前記被覆除去部の先端が挿入可能な、所定ピッチで配列された複数の孔であり、
それぞれの前記被覆除去部の縦横の位置は、前記整列部によって規制されることを特徴とする請求項１または請求項２に記載の多心光コネクタの製造方法。
【請求項４】
前記長穴の先端部の高さは、前記被覆除去部の外径に対応した高さであり、
前記整列部材の前記整列部は、前記被覆除去部の外径に対応して前記被覆除去部の先端が挿入可能な、所定ピッチで配列された複数の溝であり、
それぞれの前記被覆除去部の前記溝の配列方向の位置は、前記整列部によって規制され、
それぞれの前記被覆除去部の前記溝の配列方向とは垂直な方向の位置は、前記長穴によって規制されることを特徴とする請求項１または請求項２に記載の多心光コネクタの製造方法。
【請求項５】
前記整列部の前記フェルールとの対向面側の端部は、端部に行くにつれて拡径するテーパ形状であることを特徴とする請求項１から請求項４のいずれかに記載の多心光コネクタの製造方法。
【請求項６】
多心光コネクタの製造に用いられる整列部材であって、
整列させる光ファイバの被覆が除去された被覆除去部を挿入可能な、所定ピッチの複数の孔または溝で構成される整列部を有し、
前記被覆除去部の挿入側の端面には凸方向の段差が形成され、光ファイバが固定されるフェルールと対向させた際に、前記フェルールの端面との間に隙間を形成可能であり、
前記整列部の被覆除去部の挿入側の端部は、端部に行くにつれて拡径するテーパ形状であること特徴とする多心光コネクタ製造用の整列部材。
【請求項７】
多心光コネクタであって、
光ファイバを保持するフェルールと、
前記フェルールに設けられ、少なくとも一部の幅が縮径するテーパ部が形成される長穴と、
テープ心線のテープ一体部が前記長穴の前記テーパ部まで挿入され、前記テーパ部から前記フェルールの端面までは、前記テープ心線のテープおよび被覆が除去された被覆除去部が設けられ、
前記被覆除去部の外周面と前記長穴の内周面との間には全周に渡って隙間が形成され、前記隙間には接着剤が充填され、前記被覆除去部が前記接着剤を介して前記長穴に固定されることを特徴とする多心光コネクタ。
【発明の詳細な説明】
【技術分野】
【０００１】
本発明は、複数のファイバ心線が樹脂製のフェルールに配列されて挿入される多心光コネクタ、多心光コネクタの製造方法、および多心光コネクタ製造用の整列部材に関するものである。
【背景技術】
【０００２】
従来、樹脂製のフェルールに複数の光ファイバ心線が整列されて挿入される多心光コネクタが用いられている。
【０００３】
例えば、光ファイバテープの先端部の被覆を剥離し、端部より露出したそれぞれの光ファイバが、あらかじめ所定ピッチで形成された孔を有するフェルールに挿入されて固定されて形成される光ファイバコネクタがある（特許文献１）。
【０００４】
また、あらかじめ長穴が形成されたフェルールに光ファイバテープ自体を挿入して形成されるファイバ配列部材がある（特許文献２）。
【先行技術文献】
【特許文献】
【０００５】
【特許文献１】特開２００２−４６０４９号公報
【特許文献２】特開２０１０−２６６８２６号公報
【発明の概要】
【発明が解決しようとする課題】
【０００６】
このような多心光コネクタのフェルールは通常射出成型で形成されるが、高い光ファイバ心線の位置精度が求められる。このため、ガラスフィラー等を含有する特殊な高硬度な樹脂が使用される。したがって、コストが高く、成形性が悪い。
【０００７】
しかしながら、特許文献１のように所定間隔の孔を形成するためには、金型として高精度なコアピンを用いる必要があるが、前述のような特殊な樹脂の使用と相まって、コアピンの折損等の恐れがある。このため、フェルールの生産性が悪く、極めて高価なものとなる。
【０００８】
しかしながら、特許文献２のように、長穴を形成して光ファイバテープ自体を挿入したのみでは、光ファイバ心線の位置精度は、当該光ファイバテープ内における位置精度に頼るため、例えばシングルモードファイバの接続のような高い位置精度に対しては適用が困難である。
【０００９】
本発明は、このような問題に鑑みてなされたもので、コアピンを使用することなくフェルールを形成可能であるとともに、ファイバの位置精度に優れる多心光コネクタ、多心光コネクタの製造方法、および多心光コネクタ製造用の整列部材を提供することを目的とする。
【課題を解決するための手段】
【００１０】
前述した目的を達成するため、第１の発明は、多心光コネクタの製造方法であって、テープ心線が挿入可能な長穴を有するフェルールを用い、前記フェルールの一方の端面から、前記長穴に前記テープ心線を挿入し、前記テープ心線の端部のテープおよび被覆が除去された被覆除去部を前記フェルールの他方の端面より突出させ、前記被覆除去部を所定ピッチで整列可能な整列部材を用い、ガイド機構によって前記フェルールと前記整列部材との相対位置を合わせるとともに、前記被覆除去部の先端を前記整列部材に形成された整列部に挿入し、前記フェルールに前記整列部材を取り付け、前記長穴と前記被覆除去部との隙間に塗布された接着剤によって、前記被覆除去部を前記長穴内に固定し、前記整列部材を撤去後、前記フェルールの前記他方の端面側を研磨することを特徴とする多心光コネクタの製造方法である。
【００１１】
前記整列部材と前記フェルールを対向させた際に、前記整列部材と前記フェルールの互いの対向面の間に隙間を形成した状態で、互いの相対位置を合わせ、前記被覆除去部を前記長穴内に固定することが望ましい。
【００１２】
前記整列部材の前記整列部は、前記被覆除去部の外径に対応して前記被覆除去部の先端が挿入可能な、所定ピッチで配列された複数の孔であり、それぞれの前記被覆除去部の縦横の位置は、前記整列部によって規制されてもよい。また、前記長穴の先端部の高さは、前記被覆除去部の外径に対応した高さであり、前記整列部材の前記整列部は、前記被覆除去部の外径に対応して前記被覆除去部の先端が挿入可能な、所定ピッチで配列された複数の溝であり、それぞれの前記被覆除去部の前記溝の配列方向の位置は、前記整列部によって規制され、それぞれの前記被覆除去部の前記溝の配列方向とは垂直な方向の位置は、前記長穴によって規制されてもよい。
【００１３】
前記整列部の前記フェルールとの対向面側の端部は、端部に行くにつれて拡径するテーパ形状であることが望ましい。
【００１４】
第１の発明によれば、フェルールに形成されるのが長穴であるため、製造時にコアピンを使用する必要がない。したがって、コアピンの折損等の恐れがない。また、整列部材を用い、ファイバ心線が整列した状態でファイバ心線をフェルールに固定するため、光ファイバ心線の位置を整列部材によって規制することができる。このため、従来のように、フェルール自体に高い精度が不要である。したがって、特殊な樹脂を使用することなく、一般的な樹脂を用いることができる。このため製造性に優れ、低コストで多心光コネクタを製造することができる。
【００１５】
また、整列部材とフェルールとはガイド機構によって位置決めされるため、フェルールの所定の位置に確実に光ファイバを整列させることができる。また、整列部材をフェルールと対向させた際に、互いの対向面の間に隙間を形成することで、光ファイバ心線とフェルールとを固定する接着剤が整列部材に付着することを防止することができる。
【００１６】
また、整列部として光ファイバ心線の整列状態に形成された孔を形成し、孔に光ファイバ心線の先端を挿入すれば、光ファイバ心線の配列方向およびこれと垂直な方向の２方向を整列部材で規制することができる。また、長穴の先端の高さを光ファイバ心線の外径に対応させることで、光ファイバ心線の配列方向とは垂直な方向の位置は、長穴先端によって規制することができる。このため、整列部としては孔ではなく溝とすることもできる。
【００１７】
また、整列部のフェルールとの対向面側の端部を、端部に行くにつれて拡径するテーパ形状とすることで、光ファイバ心線の先端を整列部に挿入することが容易となるとともに、接着剤が表面張力で整列部材側に盛り上がった場合でも、接着剤が整列部材に付着することを防止することができる。
【００１８】
第２の発明は、多心光コネクタの製造に用いられる整列部材であって、整列させる光ファイバの被覆が除去された被覆除去部を挿入可能な、所定ピッチの複数の孔または溝で構成される整列部を有し、前記被覆除去部の挿入側の端面には凸方向の段差が形成され、光ファイバが固定されるフェルールと対向させた際に、前記フェルールの端面との間に隙間を形成可能であり、前記整列部の被覆除去部の挿入側の端部は、端部に行くにつれて拡径するテーパ形状であること特徴とする多心光コネクタ製造用の整列部材である。
【００１９】
第２の発明によれば、光ファイバ心線を確実に精度よく整列させることができる。この際、フェルール対向面側に段差が形成されるため、フェルールの対向面との間に隙間を形成することができる。このため、光ファイバ心線を固定するための接着剤が整列部材に付着することを防止することができる。
【００２０】
第３の発明は、多心光コネクタであって、光ファイバを保持するフェルールと、前記フェルールに設けられ、少なくとも一部の幅が縮径するテーパ部が形成される長穴と、テープ心線のテープ一体部が前記長穴の前記テーパ部まで挿入され、前記テーパ部から前記フェルールの端面までは、前記テープ心線のテープおよび被覆が除去された被覆除去部が設けられ、前記被覆除去部の外周面と前記長穴の内周面との間には全周に渡って隙間が形成され、前記隙間には接着剤が充填され、前記被覆除去部が前記接着剤を介して前記長穴に固定されることを特徴とする多心光コネクタである。
【００２１】
第３の発明によれば、フェルールに形成されるのが長穴であるため、安価であり、光ファイバ心線はフェルールの長穴とは接触せずに接着剤を介して固定される。このため、フェルール自体に高い精度が不要であるため、特殊な樹脂を必要としない。このため、安価な多心光コネクタを得ることができる。
【発明の効果】
【００２２】
本発明によれば、コアピンを使用することなくフェルールを形成可能であるとともに、ファイバの位置精度に優れる多心光コネクタ、多心光コネクタの製造方法、および多心光コネクタ製造用の整列部材を提供することができる。
【図面の簡単な説明】
【００２３】
【図１】多心光コネクタ１を示す図であり、（ａ）は斜視図、（ｂ）は（ａ）のＡ−Ａ線断面図。
【図２】（ａ）は図１（ａ）のＢ−Ｂ線断面図、（ｂ）は（ａ）と同一視野における多心光コネクタ１ａの断面図。
【図３】フェルール５に光ファイバ９を挿入する状態を示す図。
【図４】接着剤１３の塗布工程の一例を示す図。
【図５】整列部材１７を示す図であり、（ａ）は斜視図、（ｂ）は（ａ）のＦ部拡大断面図。
【図６】整列部材１７をフェルールに取り付ける状態を示す図。
【図７】整列部材１７ａをフェルールに取り付けた状態を示す図。
【図８】（ａ）は整列部材１７ｂをフェルールに取り付けた状態を示す図、（ｂ）は（ａ）のＨ部拡大図。
【図９】フェルール５の先端を研磨する状態を示す図。
【図１０】（ａ）は整列部材３０をフェルール５に取り付ける状態を示す斜視図、（ｂ）は正面図。
【図１１】（ａ）はフェルール５に光ファイバ９を挿入した状態を示す断面図、（ｂ）は（ａ）のＫ部拡大図。
【図１２】（ａ）は整列部材４０を示す図、（ｂ）は整列部材４０の使用状態を示す図。
【図１３】整列部材４０に光ファイバ９を挿入した状態を示す図。
【発明を実施するための形態】
【００２４】
以下、本発明の実施の形態にかかる多心光コネクタ１について説明する。図１（ａ）は、多心光コネクタ１を示す斜視図、図１（ｂ）は図１（ａ）のＡ−Ａ線断面図、図２（ａ）は図１（ａ）のＢ−Ｂ線断面図である。
【００２５】
多心光コネクタ１は樹脂製のフェルール５にテープ心線３が挿入されて固定される。フェルール５には長手方向に貫通する長穴７が形成される。長穴７はテープ心線３が挿入可能な大きさであればよいが、テープ心線３に対して大きなクリアランスが生じないように設定される。フェルール５の端面にはガイド機構であるガイド穴１１が設けられる。なお、ガイド穴１１の位置、大きさ、形状等は図示した例に限られない。
【００２６】
フェルール５に挿入されるテープ心線３は、テープ（および被覆部）が被覆されたテープ一体部９ａと、その先端側にテープおよび被覆が除去され、光ファイバ９が露出する被覆除去部９ｂで構成される。なお、光ファイバ９は例えば１２５μｍ径であり、被覆部においては２５０μｍとなる。したがって、被覆除去部９ｂにおいては、光ファイバ９は略２５０μｍピッチで配置される。
【００２７】
光ファイバ９の外周は、全周に渡って接着剤１３が設けられ、長穴７の内面に固定される。すなわち、光ファイバ９は直接長穴７とは接触しない。なお、光ファイバ９の配置、本数等については、図示した例に限られない。
【００２８】
本発明においては、図２（ｂ）に示すような多心光コネクタ１ａとしてもよい。多心光コネクタ１ａでは、フェルール５の長穴７幅が先端にいくにつれて縮径するテーパ部１５が形成される。テーパ部１５は、長穴７の先端幅が、テープ一体部９ａの幅よりも狭く、光ファイバ９の整列幅よりも広くなるように形成される。すなわち、テープ一体部９ａはテーパ部１５まで挿入されて、それ以上挿入されることはない。また、光ファイバ９と長穴７とは接触することはない。このようにすることで、テープ心線が過剰に差し込まれることが防止され、被覆除去部の長さを一定にすることができる。
【００２９】
次に、多心光コネクタ１の製造方法について説明する。まず、図３（ａ）に示すように、あらかじめ先端部分のテープおよび被覆を除去して被覆除去部９ｂを形成したテープ心線３を、フェルール５の後端から長穴７に挿入する（図中矢印Ｃ方向）。この際、図３（ｂ）に示すように、光ファイバ９が長穴７の前方より所定長さだけ突出するようにする。
【００３０】
次に、フェルール５の先端に接着剤１３を塗布する。この際、図４に示すように、まず、光ファイバ９を規定長さよりも長めにフェルール５より突出させておき（図中矢印Ｄ方向）、接着剤１３を塗布する。次に、テープ心線３をフェルール５から引き戻す（図中矢印Ｅ方向）。この際、光ファイバ９の周囲に付着した接着剤１３が長穴７内部に引き込まれる。このようにすることで、長穴７内部に接着剤１３を塗布することができる。なお、接着剤１３の塗布方法は上述した方法に限られない。例えば、フェルール５に形成された長穴７と連通する穴から接着剤を流し込んでもよく、あらかじめ接着剤１３を塗布した後に、光ファイバ９を挿入してもよい。
【００３１】
図５は、整列部材１７を示す図であり、図５（ａ）は斜視図、図５（ｂ）は図５（ａ）のＦ部拡大図である。整列部材１７は、例えば樹脂製の部材であり、一方の端面には複数の孔１９が所定ピッチで整列配置される。なお、整列部である孔１９は貫通孔であってもよく、所定深さで形成されてもよい。孔１９の両側方には、ガイド機構であるガイドピン２１が設けられる。ガイドピン２１は前述したフェルール５のガイド穴１１に対応する位置、大きさで設けられる。なお、整列部材１７としては、従来使用されていたフェルール（特許文献１）等をそのまま用いることもできる。
【００３２】
図５（ｂ）に示すように、孔１９の端部（後述する光ファイバの挿入側）は、端部にいくにつれて拡径するテーパ部２３が形成される。なお、孔１９の径は、挿入される光ファイバ径よりもわずかに大きく設定される。
【００３３】
図６は、整列部材１７をフェルールに取り付ける状態を示す図である。図６（ａ）に示すように、整列部材１７の孔１９側（ガイドピン２１側）をフェルール５に対向させて、ガイドピン２１をガイド穴１１に挿入する（図中矢印Ｇ方向）。この際、ガイドピン２１の長さを、光ファイバ９の突出長さよりも長く設定することで、まず、ガイドピン２１がガイド穴１１に挿入され、整列部材１７とフェルール５との位置を規制することができる。この状態からさらに整列部材１７をフェルール側に挿入することで、光ファイバ９の先端を孔１９に挿入することができる。
【００３４】
なお、この際、フェルール５の端面を上方に向け、上方から整列部材１７をフェルール５に対向させることが望ましい。接着剤１３が整列部材１７方向に流れることを防止するためである。また、光ファイバ９の先端を孔１９に挿入した状態で、接着剤１３を塗布してもよい。この場合には、整列部材１７に接着剤が付着しないようにする。また、整列部材１７自体を接着剤が固着しないようにフッ素樹脂等で構成してもよい。
【００３５】
図６（ｂ）に示すように、光ファイバ９が、対応する孔１９に全て挿入されると、それぞれの光ファイバ９の位置が孔１９の位置によって規制される。すなわち、孔１９と略同一の精度で整列させることができる。この状態で、接着剤１３を硬化させて光ファイバ９をフェルール５（長穴７内面）に固定する。
【００３６】
なお、整列部材とフェルールとの位置決めを行うガイド機構は、ガイドピンおよびガイド穴には限られない。例えば、図７に示すように、フェルール５との対向面側に、テーパ形状のガイド部２１ａを形成してもよい。このようにすることで、フェルール５に対して整列部材１７ａの位置決めを行うことができる。すなわち、フェルール５に対して位置決めを行うことができる機構であれば、いずれのガイド機構であってもよい。
【００３７】
また、図８に示すような整列部材１７ｂを用いることもできる。図８（ａ）は整列部材１７ｂをフェルール５に取り付けた状態を示す図であり、図８（ｂ）は図８（ａ）のＨ部拡大図である。整列部材１７ｂには、フェルール５との対向面の一部に凸状の段差１５（または突起）が形成される。すなわち、フェルール５に取り付けた状態で、フェルール５と整列部材１７ｂとの互いの対向面の間には隙間２７が形成される。
【００３８】
図８（ｂ）に示すように、フェルール５の端面には接着剤１３が付着するが、隙間２７を形成することで、接着剤１３が整列部材１７ｂに付着することを防止することができる。また、孔１９の端面にはテーパ部２３が形成されるため、光ファイバ９の表面に表面張力によって盛り上がった接着剤１３に対しても、確実に整列部材１７ｂへの付着を防止することができる。
【００３９】
接着剤１３が硬化した後、整列部材を撤去する。その後、図９に示すように、フェルール５より突出する光ファイバ９とフェルール５の端面の一部を研磨面２９で研磨する。以上により、長穴７内部で精度よく光ファイバ９が整列した状態の多心光コネクタ１を得ることができる。
【００４０】
本発明によれば、フェルール５に孔が形成されずに長穴が形成されるため、フェルールの製造に際してコアピンを用いる必要がない。したがってフェルールの製造性が優れる。また、光ファイバ９の整列精度がフェルールではなく整列部材によって規制されるため、フェルール５には高い精度が不要である。このため、特殊な樹脂を使用する必要がない。
【００４１】
また、光ファイバは、整列部材によって位置決めがなされるため、極めて高い精度で整列させることができる。また、整列部材の孔１９の端部にはテーパ部２３が形成されるため、光ファイバ９の挿入性が良く、また、接着剤１３が整列部材に付着することも防止することができる。
【００４２】
また、整列部材の端面に段差２５を設けることで、フェルール５の端面との間に隙間２７を形成することができる。このため、接着剤１３が整列部材に付着することを防止することができる。
【００４３】
次に、第２の実施の形態について説明する。図１０は整列部材３０を用いて多心光コネクタを製造する方法を示す図である。なお、以下の実施形態において、図１〜図９に示した構成と同一の機能を奏する構成は図１〜図９と同一の符号を付し、重複する説明を省略する。
【００４４】
図１０（ａ）に示すように、整列部材３０は光ファイバ９の本数に応じた複数の溝３１が設けられる。整列部である溝３１の個々の幅は光ファイバ９の径に対応する。複数の溝３１の両側方には、ガイド機構としてのガイド溝３５が設けられる。ガイド溝３５はフェルール５ａのガイド穴に挿入されたガイドピン３３と対応する。なお、本実施例では、光ファイバ９が２段に設けられる例を示すが、本発明はこれに限られない。また、同様に前述した実施例においても光ファイバ９を複数段に形成してもよい。
【００４５】
まず、図１０（ａ）に示すように、整列部材３０をフェルール５ａに取り付ける（図中矢印Ｉ方向）。この際、溝３１の上端部には、図示を省略したテーパ部（図５（ｂ）のテーパ部２３と同様のテーパ部）が形成される。なお、この場合も、前述の通り、フェルール５ａの端面を上方に向けた状態で整列部材３０を取り付けることが望ましい。
【００４６】
図１０（ｂ）は光ファイバ９が整列部材３０の溝３１に挿入された状態の正面図である。図１０（ｂ）に示すように、光ファイバ９は、それぞれの溝３１に挿入されることで、溝３１のピッチに応じたピッチで整列される。すなわち、テープ心線３における光ファイバ９の配列方向（図中矢印Ｊ方向）は、溝３１によって位置決めがなされる。
【００４７】
図１１（ａ）は、フェルール５ａの断面図であり、図１１（ｂ）は図１１（ａ）のＫ部拡大図である。フェルール５ａは、長穴７が２段形成される。図１１（ｂ）に示すように、長穴７の先端部は高さ方向が縮径される。すなわち、長穴７の先端部の高さは、光ファイバ９が挿入可能な範囲で光ファイバ９の外径よりもわずかに大きく設定される。したがって、光ファイバ９の上下方向（図中矢印Ｌ方向）は長穴７の先端で位置決めがなされる。
【００４８】
第２の実施形態によれば、第１の実施形態と同様の効果を得ることができる。また、整列部材３０は複数の溝３１が形成されるため、複数段の光ファイバを整列する場合であっても、同一の整列部材を用いることができる。また、フェルール５ａは、前方が薄い平板金型を用いればよいためコアピンを用いる必要がない。また、フェルール５ａでは上下方向のみの位置決めを行えばよいため、従来と比較して位置決めが容易である。
【００４９】
次に、他の実施の形態を示す。図１２は、整列部材４０を用いた光ファイバ９の整列方法を示す図である。図１２（ａ）に示すように、整列部材４０は、テープ心線の一部において、テープおよび被覆を除去した被覆除去部４１が形成された部材である。すなわち、被覆除去部４１の両側部がテープ一体部４３となる。なお、テープ心線としては、整列を行う対象のテープ心線３と同一のものを用いればよい。
【００５０】
まず、図１２（ｂ）に示すように、一対の整列部材４０ａ、４０ｂを互いに垂直に配置する。この際、互いの直交部には互いに被覆除去部４１が位置するように固定する。すなわち、直交部において、整列部材４０ａ、４０ｂの互いの被覆除去部が直交し、格子状にファイバが形成される。この状態で、フェルール５から突出する光ファイバ９を格子状のファイバ間に挿入する。
【００５１】
図１３は、整列部材４０ａ、４０ｂの直交部に光ファイバ９を挿入した状態を示す図である。前述したように、光ファイバ９は、被覆時の外径に対して約１／２の外径を有する。このため、光ファイバ９は、整列部材４０ａ、４０ｂのファイバで形成される格子に整列される。すなわち、整列部材４０ａによって配列方向のピッチが規制され、整列部材４０ｂによって上下方向の位置が規制される。なお、各整列部材４０ａ、４０ｂには多少のテンションを付与することが望ましい。
【００５２】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００５３】
例えば、整列部材に光ファイバ９を挿入した状態で接着剤１３を早急に硬化させるために、整列部材のフェルールとの対向面に、ヒータや紫外線照射機構等を設けることもできる。すなわち、使用する接着剤に応じて、接着剤の硬化機構を整列部材側に設けてもよい。
【符号の説明】
【００５４】
１、１ａ………多心光コネクタ
３………テープ心線
５、５ａ………フェルール
７………長穴
９………光ファイバ
９ａ………テープ一体部
９ｂ………被覆除去部
１１………ガイド穴
１３………接着剤
１５………テーパ部
１７、１７ｂ、３０、４０、４０ａ、４０ｂ………整列部材
１９………孔
２１………ガイドピン
２３………テーパ部
２５………段差
２７………隙間
２９………研磨面
３１………溝
３３………ガイドピン
３５………ガイド溝
４１………被覆除去部
４３………テープ一体部
【図１】
2012185283.tif 000003
【図２】
2012185283.tif 000004
【図３】
2012185283.tif 000005
【図４】
2012185283.tif 000006
【図５】
2012185283.tif 000007
【図６】
2012185283.tif 000008
【図７】
2012185283.tif 000009
【図８】
2012185283.tif 000010
【図９】
2012185283.tif 000011
【図１０】
2012185283.tif 000012
【図１１】
2012185283.tif 000013
【図１２】
2012185283.tif 000014
【図１３】
2012185283.tif 000015